(57)【要約】【課題】  本考案は、山菜採りやキノコ採りで山中に入った際に、猛獣、例えば熊から身を守るために多種類の警戒音を発生する警戒音発生器を提供することを目的とする。【解決手段】  本考案の警戒音発生器は、プラスチック製の蓋状の上ケースと該上ケースに嵌合する容器状の下ケースとにより小型のボックス状容器が形成され、乾電池を電源とする電源入力手段と、スイッチシートからのタッチ入力を制御部へ入力する入力操作手段と、該入力操作手段からの入力により音量を制御する音量調整手段、音色を変更する音色調整手段、音の長さを調節する長さ調整手段および音と音の間隔を調整する間隔調整手段をそれぞれ制御する制御部と、該制御部からの指令により振動板による音を発生する音発生手段とから構成される。【選択図】  図２
0003102329.tif 000002
【実用新案登録請求の範囲】
【請求項１】
プラスチック製の蓋状の上ケースと該上ケースに嵌合する容器状の下ケースとにより小型のボックス状容器が形成され、乾電池を電源とする電源入力手段と、スイッチシートからのタッチ入力を制御部へ入力する入力操作手段と、該入力操作手段からの入力により音量を制御する音量調整手段、音色を変更する音色調整手段、音の長さを調節する長さ調整手段および音と音の間隔を調整する間隔調整手段をそれぞれ制御する制御部と、該制御部からの指令によりブザー発生用振動板による音を発生する音発生手段とから構成されることを特徴とする警戒音発生器。
【考案の詳細な説明】
【技術分野】
【０００１】
本考案は、山菜採りやキノコ採りで山中に入った際に、猛獣の熊から身を守るために警戒音を発生する警戒音発生器に関する。
【背景技術】
【０００２】
従来、山菜採りやキノコ採りの際には、猛獣、例えば熊から身を守るために、自分の存在を相手に警告するように熊避け鈴や口笛等で警戒音を出すことが知られている。
しかし、熊避け鈴は、人が歩行して動いていれば音を発するが、歩行停止又は休憩している場合には音を発しないため被害の危険度が増すし、また口笛等は疲れを生じるため長時間は吹けないなどの欠点があった。
一方、警戒音を発生するものとして、有害鳥獣を追い散らすために電子音発生器と、電子音の間隔を調整するタイマー及びスイッチよりなる無公害スズメ追い散らし器が公知となっている（特許文献１参照）。
【０００３】
【特許文献１】特開平５−２１１８３６号公報
【考案の開示】
【考案が解決しようとする課題】
【０００４】
そこで、本考案は、山菜採りやキノコ採りで山中に入った際に、猛獣、例えば熊から身を守るために多種類の警戒音を発生する警戒音発生器を提供することを目的とする。
【課題を解決するための手段】
【０００５】
そのため、本考案の警戒音発生器は、プラスチック製の蓋状の上ケースと該上ケースに嵌合する容器状の下ケースとにより小型のボックス状容器が形成され、乾電池を電源とする電源入力手段と、スイッチシートからのタッチ入力を制御部へ入力する入力操作手段と、該入力操作手段からの入力により音量を制御する音量調整手段、音色を変更する音色調整手段、音の長さを調節する長さ調整手段および音と音の間隔を調整する間隔調整手段をそれぞれ制御する制御部と、該制御部からの指令により振動板による音を発生する音発生手段とから構成されるものである。
【考案の効果】
【０００６】
本考案の警戒音発生器は、多種類の警戒音を発生するので、山菜採りやキノコ採りで山中に入った際に、猛獣、例えば熊から身を守ることができるために、山菜採りやキノコ採りを安全に行うことができる。
【考案を実施するための最良の形態】
【０００７】
本考案の警戒音発生器は、プラスチック製の蓋状の上ケースと該上ケースに嵌合する容器状の下ケースとにより小型のボックス状容器が形成され、乾電池を電源とする電源入力手段と、スイッチシートからのタッチ入力を制御部へ入力する入力操作手段と、該入力操作手段からの入力により音量を制御する音量調整手段、音色を変更する音色調整手段、音の長さを調節する長さ調整手段および音と音の間隔を調整する間隔調整手段をそれぞれ制御する制御部と、該制御部からの指令により振動板による音を発生する音発生手段とから構成される。
【０００８】
本考案の警戒音発生器の一実施例を図面に基づいて、以下に説明する。
図１(a)の正面図および図１(b)の側面図に示すように、本考案の警戒音発生器の外観は、プラスチック製の蓋状の上ケース１と、該上ケース１に嵌合するプラスチック製の容器状の下ケース２とにより、小型のボックス状容器（外形寸法５４mm×８９mm×２８mm）が形成され、前記上ケース１の表面には音の設定を行うスイッチシート３が装着される。
また、図１(c)の平面図に示すように、前記ボックス状容器の上面には、方位を示す直径１４mmオイル入りコンパス４が装着されている。
なお、前記ボックス状容器内には、パネル基板、コントローラ基板、ブザー発生用振動板などの制御機器が内蔵され、多種類の音を発声制御することができるようになっている。
【０００９】
本考案の警戒音発生器は、図２に示すように、乾電池を電源とする電源入力手段と、スイッチシート３からのタッチ入力を制御部へ入力する入力操作手段と、該入力操作手段からの入力により音量を制御する音量調整手段、音色を変更する音色調整手段、音の長さを調節する長さ調整手段および音と音の間隔を調整する間隔調整手段をそれぞれ制御する制御部と、該制御部からの指令によりブザー発生用振動板による音を発生する音発生手段とから構成される。
【００１０】
次に、本考案の警戒音発生器の使用方法について、以下に説明する。
図１(a)の正面図に示すように、入力操作手段であるスイッチシート３には、電源スイッチ、緊急スイッチ、音の設定欄に切替スイッチ、＜＞の選択スイッチ、「大小」、「種類」、「長さ」、「間隔」のLED選択表示及び１〜５のLED数値表示がそれぞれ印刷されている。
電源入力手段である電源のON/OFFは、電源スイッチを押し続けることにより行うことができ、初期状態では制御部の全ての値、すなわち「大小」、「種類」、「長さ」、「間隔」はレベル３に設定されている。
制御部の各レベルを変更するには、切替スイッチを押す毎に「大小」→「種類」→「長さ」→「間隔」→「大小」のLED選択表示の点灯を繰り返し、それぞれの設定が可能となる。
【００１１】
例えば、音量調整手段である音量の調節を行う場合、音の設定欄の切替スイッチで「大小」を選択し、＜＞の選択スイッチでレベルを選択し、希望する１〜５のLED数値表示の点灯を選択する。
同様に音色調整手段である音色を変更する「種類」の場合、長さ調整手段である音の長さを調節する「長さ」の場合、間隔調整手段である音と音の間隔を調整する「間隔」の場合も切替スイッチで選択し、＜＞の選択スイッチでレベルを選択し、希望する１〜５のLED数値表示の点灯を選択することで行える。
なお、音量設定は、１０〜３０Vp-pで５段階に選択できるようになっており、その他の音色設定は１KHz〜８KHz、音の長さ設定は１秒〜５秒、音と音の間隔設定は３秒〜４８秒でそれぞれ５段階に選択できるようになっている。
【００１２】
そして、音発生手段は、制御部からの指令により設定された値でブザー発生用振動板による音を発生する。
なお、変更された設定値は、電池交換や電源OFFでも初期値に戻ることなく保持される。
緊急スイッチは、電源のON/OFFに係わらず、緊急スイッチを押すことで設定されている「種類」の音色で、かつ連続最大音量の音が発生される。
また、ボックス状容器の上面には、方位を示す直径１４mmオイル入りコンパス４が装着されているので、山中で道に迷うことはない。
【図面の簡単な説明】
【００１３】
【図１】本考案の警戒音発生器の(a)正面図、(b)側面図、(c)平面図である。
【図２】本考案の警戒音発生器の制御ブロック図である。
【符号の説明】
【００１４】
１：上ケース
２：下ケース
３：スイッチシート
４：コンパス
【図１】
0003102329.tif 000003
【図２】
0003102329.tif 000004